(57)【特許請求の範囲】
【請求項１】
ブロー成形で形成され、内部に内蔵部品を取付けられ、合成樹脂で形成された外壁を有する自動車用燃料タンクの内蔵部品の取付構造において、
上記内蔵部品には、上記燃料タンクの外壁の内面に融着して上記内蔵部品を取付ける取付部材が複数設けられ、該取付部材は、上記燃料タンクの外壁の内面に当接する当接部が形成され、該当接部は、上記燃料タンクの外壁の内面に溶着される平面状の取付部材溶着面を有し、
上記燃料タンクの外壁は、上記燃料タンク内側に突出する外壁内面突出部が形成され、上記外壁内面突出部の上記取付部材溶着面と対向する面は、平面状の外壁内面溶着面が形成され、
上記外壁内面溶着面は、上記取付部材溶着面よりも小さく形成されるとともに、上記取付部材溶着面と上記外壁内面溶着面が溶着され、上記取付部材溶着面が上記外壁内面溶着面よりも張出すようにしたことを特徴とする自動車用燃料タンクの内蔵部品の取付構造。
【請求項２】
上記外壁内面溶着面は、上記燃料タンクの外壁の他の部分よりも肉厚を薄く形成された請求項１に記載の自動車用燃料タンクの内蔵部品の取付構造。
【請求項３】
上記内蔵部品を取付ける上記取付部材は、上記燃料タンクの外壁の内側の上面と下面にそれぞれ取付けられ、上記取付部材が取付けられた後に、上記内蔵部品が上記燃料タンクの外壁の内側の上面と下面に取付けられた上記取付部材に取付けられる請求項１又は請求項２に記載の自動車用燃料タンクの内蔵部品の取付構造。
【請求項４】
上記内蔵部品を取付ける上記取付部材又は上記取付部材が取付けられた上記内蔵部品の上記取付部材に接した部分に筒状の取付側壁を形成し、該取付側壁は、取付側壁孔が形成され、該取付側壁孔には、上記燃料タンク内の流体が流入可能に形成された請求項１乃至請求項３のいずれか１項に記載の自動車用燃料タンクの内蔵部品の取付構造。
【請求項５】
上記取付側壁孔は、衝撃により変形可能に形成された請求項１乃至請求項４のいずれか１項に記載の自動車用燃料タンクの内蔵部品の取付構造。
【発明の詳細な説明】
【技術分野】
【０００１】
本発明は、熱可塑性合成樹脂製の燃料タンクの内蔵部品の取付構造に関するものであり、特に、熱可塑性合成樹脂部材をブロー成形することにより外壁が形成され、内部に内蔵部品を有する燃料タンクの内蔵部品の取付構造に関するものである。
【背景技術】
【０００２】
従来、自動車用等の燃料タンクの構造としては、金属製のものが用いられていたが、近年、車両の軽量化や、錆が発生しないこと、所望の形状に成形しやすいことなどによって熱可塑性合成樹脂製のものが用いられるようになってきた。
熱可塑性合成樹脂製の自動車用燃料タンクの製造は、中空体を成形することの容易性からブロー成形方法が多く用いられてきた。ブロー成形方法では、溶融した熱可塑性合成樹脂部材のパリソンを円筒状にして上から押出して、そのパリソンを金型で挟みパリソン中に空気を吹き込み、自動車用燃料タンクを製造していた。
【０００３】
一方、ブロー成形方法においても、燃料タンクの内部にバルブ類や燃料の流動音を抑制するためのバッフルプレート等の内蔵部品を設けることが求められている。
そこで、内蔵部品を樹脂枠にセットして、その樹脂枠を金型内にセットして、ブロー成形して樹脂枠を燃料タンクの外壁の内周面に固着して内蔵部品を燃料タンク内部に取付けるものがある（例えば、特許文献１参照。）。
【０００４】
しかしこの場合には、内蔵部品を樹脂枠にセットして燃料タンクの外壁の内周面に固着するため、成形後に樹脂枠を切除する手間が必要であり、小さい内蔵部品では、樹脂枠が大きくなり、重量が増加する場合がある。
【０００５】
また、燃料タンクの内部に内蔵部品を設けるには、図１３〜図１４に示すように行っている場合もある（例えば、特許文献２参照。）。
それは、まず、図１３に示すように、パリソン１０８がブロー成形金型１４０内に入る前に内蔵部品１２０を支持棒１４１に載せて、ブロー成形金型１４０を開いて、その内部に位置させる。その後、ブロー成形金型１４０を開いたままで、パリソン１０８を下降させて、パリソン１０８の内部に内蔵部品１２０が位置するようにする。
【０００６】
その後、図１４に示すように、ブロー成形金型１４０を閉じる前に、ブロー成形金型１４０の両側から押圧ピン１４２を出し、パリソン１０８を押圧して、パリソン１０８を内蔵部品１２０の側端に押付ける。このとき、パリソン１０８の内面はまだ固化していないので、パリソン１０８と内蔵部品１２０の側端は、融着することができる。
そして、支持棒１４１を下降させて、ブロー成形金型１４０を閉じて、空気を吹き込み、ブロー成形を行う。
【０００７】
この場合は、内蔵部品１２０の先端に形成したパリソン１０８と当接する取付部材溶着面１３３とパリソン１０８の内面とは単に接触するのみで、パリソン１０８の内部に取付部材溶着面１３３が侵入せず、接着性が弱く、充分に融着強度が大きくなく、燃料の振動や、燃料タンクの膨張等により、剥離する恐れがあった。
【０００８】
そのため、図１５に示すように、内蔵部品の円筒状の側壁２３１を有する取付部材２３０の取付部材溶着面２３３に複数の円柱状の当接ピン２３４を形成し、図１６に示すように、パリソン２０８の内面に押圧し、溶着したものが考えられている（例えば、特許文献３参照。）。
このとき、低温衝撃性を考慮して、内蔵部品の取付部材２３０に係る応力が低くなるように、取付部材溶着面２３３とパリソン２０８との取付部材溶着面積を広くすることが必要となっている。
【０００９】
また、取付部材２３０とパリソン２０８の溶着強度を確保するため、取付部材溶着面２３３をパリソン２０８に強く押圧した場合には、図１６に示すように、パリソン２０８から溶融樹脂であるノッチ２０９がはみ出すように形成される。この場合には、取付部材２３０の溶着部分に衝撃が加わった場合には、ノッチ２０９の部分に応力が集中して、燃料タンクの外壁に応力がかかる恐れがあった。
【先行技術文献】
【特許文献】
【００１０】
【特許文献１】特開平１−３０１２２７号公報
【特許文献２】特開平６−１４３３９６号公報
【特許文献３】特開２０１３−０６００９６号公報
【発明の概要】
【発明が解決しようとする課題】
【００１１】
そのため、本発明は、ブロー成形時に、内蔵部品がパリソンに対してずれることがなく、燃料タンク内の所定の位置に内蔵部品を取付けることができる燃料タンクを提供することを課題とする。
【課題を解決するための手段】
【００１２】
上記課題を解決するための請求項１の本発明は、ブロー成形で形成され、内部に内蔵部品を取付けられ、合成樹脂で形成された外壁を有する自動車用燃料タンクの内蔵部品の取付構造において、
内蔵部品には、燃料タンクの外壁の内面に融着して内蔵部品を取付ける取付部材が複数設けられ、取付部材は、燃料タンクの外壁の内面に当接する当接部が形成され、当接部は、燃料タンクの外壁の内面に溶着される平面状の取付部材溶着面を有し、
燃料タンクの外壁は、燃料タンク内側に突出する外壁内面突出部が形成され、外壁内面突出部の取付部材溶着面と対向する面は、平面状の外壁内面溶着面が形成され、
外壁内面溶着面は、取付部材溶着面よりも小さく形成されるとともに、取付部材溶着面と外壁内面溶着面が溶着され、取付部材溶着面が外壁内面溶着面よりも張出すようにしたことを特徴とする自動車用燃料タンクの内蔵部品の取付構造である。
【００１３】
請求項１の本発明では、ブロー成形で形成され、内部に内蔵部品を取付けられ、合成樹脂で形成された外壁を有する自動車用燃料タンクの内蔵部品の取付構造において、内蔵部品には、燃料タンクの外壁の内面に融着して内蔵部品を取付ける取付部材が複数設けられている。このため、取付部材により内蔵部品を複数個所で燃料タンクの外壁の内面に融着して固定することができ、安定して取り付けることができる。
【００１４】
取付部材は、燃料タンクの外壁の内面に当接する当接部が形成され、当接部は、燃料タンクの外壁の内面に溶着される平面状の取付部材溶着面を有している。このため、取付部材の取付部材溶着面と、溶融したパリソンである燃料タンクの外壁の内面が融着し、取付部材を強固に燃料タンクの外壁と固着することができる。
【００１５】
燃料タンクの外壁は、燃料タンク内側に突出する外壁内面突出部が形成され、外壁内面突出部の取付部材溶着面と対向する面は、平面状の外壁内面溶着面が形成されている。このため、外壁内面突出部が燃料タンクの他の外壁よりも剛性が向上して、外部からの衝撃を吸収できるとともに、平面状の外壁内面溶着面に取付部材の取付部材溶着面が強固に融着することができる。
【００１６】
外壁内面溶着面は、取付部材溶着面よりも小さく形成されるとともに、取付部材溶着面と外壁内面溶着面が溶着され、取付部材溶着面が外壁内面溶着面よりも張出すようにした。このため、取付部材溶着面を外壁内面溶着面に溶着したときに、溶着部分の溶融樹脂のノッチが取付部材溶着面側に生じて、外部からの低温衝撃が加わっても、取付部材側に応力がかかり、燃料タンクの外壁に損傷が生じることがない。
【００１７】
請求項２の本発明は、外壁内面溶着面は、燃料タンクの外壁の他の部分よりも肉厚を薄く形成された自動車用燃料タンクの内蔵部品の取付構造である。
【００１８】
請求項２の本発明では、外壁内面溶着面は、燃料タンクの外壁の他の部分よりも肉厚を薄く形成されたため、外壁内面溶着面と取付部材溶着面の肉厚を同じにすることができ、外部からの衝撃が加わっても、応力の緩和を図ることができる。
【００１９】
請求項３の本発明は、内蔵部品を取付ける取付部材は、燃料タンクの外壁の内側の上面と下面にそれぞれ取付けられ、取付部材が取付けられた後に、内蔵部品が燃料タンクの外壁の内側の上面と下面に取付けられた取付部材に取付けられる自動車用燃料タンクの内蔵部品の取付構造である。
【００２０】
請求項３の本発明では、内蔵部品を取付ける取付部材は、燃料タンクの外壁の内側の上面と下面にそれぞれ取付けられ、取付部材が取付けられた後に、内蔵部品が燃料タンクの外壁の内側の上面と下面に取付けられた取付部材に取付けられる。このため、内蔵部品により、燃料タンクの外壁の内側の上面と下面を支えることができ、燃料タンクの外壁の剛性を向上させることができるとともに、燃料タンクの外壁の過度の膨張と収縮を防ぐことができる。
【００２１】
請求項４の本発明は、内蔵部品を取付ける取付部材又は取付部材が取付けられた内蔵部品の取付部材に接した部分に筒状の取付側壁を形成し、取付側壁は、取付側壁孔が形成され、取付側壁孔には、燃料タンク内の流体が流入可能に形成された自動車用燃料タンクの内蔵部品の取付構造である。
【００２２】
請求項４の本発明では、内蔵部品を取付ける取付部材又は取付部材が取付けられた内蔵部品の取付部材に接した部分に筒状の取付側壁を形成し、取付側壁は、取付側壁孔が形成され、取付側壁孔には、燃料タンク内の流体が流入可能に形成された。このため、複数の取付部材を取付けても、燃料タンクの燃料の収容容量を減少させることがない。
【００２３】
請求項５の本発明は、取付側壁孔は、衝撃により変形可能に形成された自動車用燃料タンクの内蔵部品の取付構造である。
【００２４】
請求項５の本発明では、取付側壁孔は、衝撃により変形可能に形成されたため、燃料タンクの外壁に外部からの衝撃が加わっても、取付側壁孔の変形により応力の緩和を図ることができる。
【発明の効果】
【００２５】
燃料タンクの外壁は、燃料タンク内側に突出する外壁内面突出部が形成され、外壁内面突出部の取付部材溶着面と対向する面は、平面状の外壁内面溶着面が形成されているため、外壁内面突出部が燃料タンクの他の外壁よりも剛性が向上して、外部からの衝撃を吸収できるとともに、平面状の外壁内面溶着面に取付部材の取付部材溶着面が強固に融着することができる。
【００２６】
外壁内面溶着面は、取付部材溶着面よりも小さく形成されるとともに、取付部材溶着面と外壁内面溶着面が溶着され、取付部材溶着面が外壁内面溶着面よりも張り出すようにしたため、取付部材溶着面を外壁内面溶着面に溶着したときに、溶着部分の溶融樹脂のノッチが取付部材溶着面側に生じて、外部からの低温衝撃が加わっても、燃料タンクの外壁に損傷が生じることがない。
【図面の簡単な説明】
【００２７】
【図１】本発明の実施の形態である燃料タンク斜視図である。
【図２】本発明の燃料タンクの外壁の構造を示す部分拡大断面図である。
【図３】本発明の燃料タンクの内部に取付けられる内蔵部品の斜視図である。
【図４】本発明の実施の形態の取付部材の平面図である。
【図５】本発明の実施の形態の取付部材の断面図であり、図４のＡ−Ａ線に沿った断面図である。
【図６】本発明の実施の形態の取付部材の底面図である。
【図７】本発明の実施の形態の取付部材の取付部材溶着面とパリソンの溶着時の断面図である。
【図８】本発明の他の実施の形態の取付部材の取付部材溶着面とパリソンの溶着時の断面図である。
【図９】本発明の他の実施の形態の取付部材の斜視図である。
【図１０】本発明の燃料タンク製造方法を示すブロー成形金型を開いて、内蔵部品をパリソンに挿入した状態の断面図である。
【図１１】本発明の燃料タンク製造方法を示すブロー成形金型の押圧ピンをスライドさせ、スライドピンで内蔵部品を挟持した状態の断面図である。
【図１２】本発明の燃料タンク製造方法を示すブロー成形金型を閉じた状態の断面図である。
【図１３】従来の燃料タンク製造方法を示すブロー成形金型を開いた状態の断面図である。
【図１４】従来の燃料タンク製造方法を示すブロー成形金型の押圧ピンをスライドさせた状態の断面図である。
【図１５】従来の取付部材の断面図である。
【図１６】従来の取付部材の取付部材溶着面とパリソンの溶着時の断面図である。
【発明を実施するための形態】
【００２８】
本発明の実施の形態である自動車用の燃料タンク１について、図１〜図１２に基づき説明する。
本発明の実施の形態では、燃料タンク１は、図１に示すように、その燃料タンク１に燃料ポンプ（図示せず）等を出し入れするためにポンプユニット取付孔４が上面に形成されている。また、燃料タンク１の側面又は上面には、インレットパイプ（図示せず）から燃料を注入する燃料注入孔５が形成されている。また、燃料タンク１の内部には、図３に示すような、内蔵部品２０が取付けられている。
【００２９】
また、燃料タンク１の周囲には外周リブ２が全周に亘り形成されており、外周リブ２のコーナー部等の所定箇所には、数箇所に亘り取付用孔３が形成され、取付用孔３と車体をボルト締めすることにより、燃料タンク１を車体に取付けている。取付用孔３ではなく、燃料タンク１の外周にベルトをかけてそのベルトにより燃料タンク１を車体に取り付けることもできる。
さらに、燃料タンク１の上面には、内部の燃料蒸気を回収するホース等を接続する各所の取付孔６が形成されている。
【００３０】
本実施の形態において、燃料タンク１は、ブロー成形で形成され、その外壁１０は、例えば、図２に示すように、外側から順に表皮層１１、外部本体層１２、外部接着剤層１３、バリヤ層１４、内部接着剤層１５及び内部本体層１６から形成されている。後述する内蔵部品２０は、内部本体層１６に溶着される。内蔵部品２０と内部本体層１６は、溶着しやすい材料、例えば同じ種類の材料を使用することが好ましい。また、外壁１０は、１層又は６層以外の多層とすることができる。
【００３１】
ブロー成形においては、円筒状のパリソン８の内部に内蔵部品２０を挿入する場合や、円筒状のパリソン８を切り開いて平板状にして、ブロー成形金型４０を開いて、両側のキャビティー面に取付けて、その平板状のパリソン８に内蔵部品２０を取付ける場合もある。
ブロー成形のパリソン８は、上記の６層から構成されるパリソン８が使用される。６層以上の層構成を有するパリソン８を使用することもできる。また、表皮層１１は外部本体層１２に再生部材や、フィラー等を混入する場合に使用されるが、表皮層１１を省略することもできる。さらに、剛性と耐燃料油性を有する材料を使用すれば、１層構成のパリソンを使用することもできる。
【００３２】
表皮層１１、外部本体層１２は、耐衝撃性が大きく、燃料油に対しても剛性が維持される熱可塑性合成樹脂から形成され、高密度ポリエチレン（ＨＤＰＥ）から形成されることが好ましい。外部本体層１２が、無機フィラーを含有した場合には、外部本体層１２の表面を覆うため、表皮層１１が使用され、表面に無機フィラーが出ることがなく、表面を円滑にすることができる。
【００３３】
燃料タンク１の内部には、例えば、図３に示す内蔵部品２０が取付けられている。内蔵部品２０の取付け方法については後述する。
次に、図３に基づき、内蔵部品２０について説明する。
内蔵部品２０は、燃料タンク１のタンク外壁の内面に融着して、上下を支える複数の取付部材３０が設けられている。取付部材３０については後述する。また、取付部材３０は、内蔵部品２０に取付けらずに、長い取付部材３０が直接燃料タンク１のタンク外壁の内面の上面と下面に取付けられることもできる。
【００３４】
内蔵部品２０には、燃料タンク１の外壁１０の内面に融着して内蔵部品２０を取付ける後述する取付部材３０が複数設けられている。このため、内蔵部品２０を複数個所で燃料タンク１の外壁１０の内面に融着して固定することができ、安定して取り付けることができる。
【００３５】
取付部材３０の燃料タンク１の外壁１０の内面に当接する先端部分には、取付部材溶着面３３が取付けられている。本実施の形態では、取付部材溶着面３３は取付部材３０と一体に形成されているが、取付部材３０の先端に取付部材３０とは別体で形成してもよい。
内蔵部品２０の上面２１に取付けられた取付部材３０の取付部材溶着面３３は、ブロー成形時に燃料タンク１の外壁１０の上側壁を形成するパリソン８の内面に溶着して、内蔵部品２０を燃料タンク１の内部に取付けることができる。また、内蔵部品２０の上面孔部２４における下に向けて形成された取付部材３０の取付部材溶着面３３は、外壁１０の底壁側に溶着される。
【００３６】
内蔵部品２０は、ポリアセタール、高密度ポリエチレン（ＨＤＰＥ）等の耐燃料油性の熱可塑性合成樹脂で形成することができる。これにより燃料タンク１の強度を向上させることができるとともに、燃料タンク１の内部に取付けられても、燃料油による膨潤等で剛性が低下することがない。
【００３７】
本実施の形態の内蔵部品２０は、図３に示すように、内蔵部品２０は、中央部が空間を有して、略四角形状に周囲が連続したリング状に形成されている。なお、本件発明においては、図３に示す形態のほか、柱部材を梁部材で連結した内蔵部品２０を使用することもできる。
【００３８】
本実施の形態の内蔵部品２０のリング状の部分は、上側の面が略平面上に形成された上面２１と、上面２１から外周に略直角に垂下された外側面２２と、上面２１から中央部の空間側に略直角に垂下された内側面２３とからなる形状に形成され、上面２１、外側面２２と内側面２３に囲まれた内部は、断面コ字形の下側面がない中空状に形成されている。このため、内蔵部品２０は全体として、重量を軽くすることができ、車両の軽量化に貢献できるとともに、柔軟に変形することができる。上面２１、外側面２２と内側面２３は、燃料タンク１のコーナー部や短辺側では、一部の幅が狭く形成されている。
【００３９】
上面２１には、上述の取付部材３０が複数個形成されているとともに、凹んだ上面孔部２４が複数個形成されている。上面孔部２４の底には取付部材３０と取付部材溶着面３３を形成することができる。上述のとおり、この取付部材溶着面３３は、外壁１０の下側内面と融着して内蔵部品２０を燃料タンク１のタンク内部に取付けることができる。これにより、燃料タンク１の内圧の変化により、燃料タンク１の外壁１０が膨張や伸縮しても、燃料タンク１の外壁１０を保持することができる。間ｔ、燃料タンク１の外部から衝撃が加わっても、外壁１０を保持することができる。
【００４０】
外側面２２と内側面２３は、内蔵部品２０の長辺側において、長手方向に長く形成されている。このため、外側面２２と内側面２３は、自動車走行時の燃料タンク１内の燃料の移動方向に対して直交する方向に形成されたため、外側面２２と内側面２３により走行時に燃料タンク１内の燃料が移動したり波打ったりしても、燃料の過度な動きを防止して、燃料タンク１内部の燃料油の波うち音の発生を防止することができるとともに、異音の発生を防止できる。
【００４１】
つぎに、取付部材３０について、図４〜９に基づいて説明する。
取付部材３０は、内蔵部品２０と一体に形成されてもよく、また、内蔵部品２０と別体で形成してもよい。本実施の形態では、取付部材３０を別体で形成したものを例にとり説明する。
取付部材３０は、図４〜図９に示すように円筒状又は四角形の筒状に形成する場合や、平板状に形成する場合がある。
本実施の形態では、取付部材３０は、円筒状の筒状に形成し、図４は、取付部材３０の平面図、図５は取付部材３０の断面図、図６は取付部材３０の底面図である。
【００４２】
取付部材３０は、内蔵部品２０と連結又は連続する取付部材側壁３１と、燃料タンク１の外壁１０の内面に当接する当接部３２から形成される。
本実施の形態では、取付部材３０は内蔵部品２０と別体で形成されている。この場合は、取付部材側壁３１は、内蔵部品２０の上面２１の形状に合わせて円筒状に形成され、内部が中空状である。
【００４３】
図９に示すように、取付部材３０を内蔵部品２０とは別に長く円筒状に形成し、取付部材３０の上面を燃料タンク１の外壁１０の内面の上面に溶着して、取付部材３０の下面を燃料タンク１の外壁１０の内面の下面に溶着することができる。
この場合には、取付部材３０の内部が中空状で、図９に示すように、取付部材側壁３１に取付部材側壁孔３５を形成することができる。取付部材側壁孔３５は、燃料タンク１内の燃料等の流体が流入可能に形成されている。このため、複数の取付部材３０を取付けても、燃料タンク１の燃料の収容容量を減少させることがない。
取付部材側壁孔３５は、取付部材側壁３１の上下に２列にそれぞれ複数個形成することができる。この場合には、上側の取付部材側壁孔３５は、空気抜きの作用をして、下側の取付部材側壁孔３５は、液体が出入りすることができる。
【００４４】
取付部材側壁孔３５は、燃料タンク１の外部からの衝撃により変形可能に形成することが好ましい。この場合には、燃料タンク１の外壁１０に外部からの衝撃が加わっても、取付部材側壁孔３５の変形により、衝撃の応力の緩和を図ることができる。
【００４５】
なお、本実施の形態では、取付部材側壁孔３５を取付部材側壁３１に形成したが、取付部材３０が平板状の場合には、内蔵部品２０の取付部材３０に近接した部分に、筒状の取付側壁を形成し、取付側壁に取付側壁孔を形成することができる。この場合には、取付側壁孔から燃料等の流体が流入可能に形成されている。
【００４６】
取付部材側壁３１の下端には、係止部３８が形成され、取付部材側壁３１が内蔵部品２０の上面２１の先端に嵌め込まれたときに、図５と図６に示すように、係止部３８の爪が上面２１の先端部に形成された凹部又は孔に係合されて、取付部材３０が強固に取付けられる。取付部材３０は、燃料タンク１の外壁１０と融着するために、外壁１０の材料と同種類の材料を使用する。取付部材３０は、例えば内蔵部品２０と同様に、ポリアセタール、高密度ポリエチレン（ＨＤＰＥ）等の耐燃料油性の熱可塑性合成樹脂で形成することができる。
【００４７】
なお、取付部材３０が内蔵部品２０と一体的に形成される場合は、取付部材側壁３１は上面２１と連続して形成される。
当接部３２は、燃料タンク１の外壁１０の内面に対向する円形の取付部材溶着面３３と、取付部材溶着面３３から燃料タンク１の外壁１０に向けて突出する複数の当接ピン３４が形成されている。当接ピン３４は断面形状が円形又は楕円形の円柱状又は円錐台状に形成される。本実施の形態では、当接ピン３４は円柱状に形成されている。当接ピン３４は円錐台状に形成することも、楕円柱状や断面が楕円で円錐台状に形成することもできる。
なお、取付部材溶着面３３に当接ピン３４を形成せずに、平板状に形成することもできる。
【００４８】
さらに、当接ピン３４の取付部材溶着面３３からの高さは、燃料タンク１の外壁１０の肉厚よりも小さく形成されている。このため、取付部材溶着面３３が燃料タンク１の外壁１０の内面に密着して、当接ピン３４が燃料タンク１の外壁１０の内部に侵入する寸法の最大値を制御することができるともに、当接ピン３４が燃料タンク１の外壁１０の内部に侵入して、強固に燃料タンク１の外壁１０と融着することができる。当接ピン３４の周囲には当接ピン溝部３６を設けることができる。これにより、当接ピン３４の柔軟性が向上する。
【００４９】
図７に示すように、燃料タンク１の外壁１０は、燃料タンク１内側に突出する外壁内面突出部１８が形成されている。外壁内面突出部１８の取付部材溶着面３３と対向する面は、平面状の外壁内面溶着面１７が形成されている。このため、外壁内面突出部１８は、燃料タンク１の外壁１０の他の部分よりも剛性が向上して、外部からの衝撃を吸収できる。
外壁内面溶着面１７は、取付部材３０の取付部材溶着面３３と溶着される。
【００５０】
外壁内面溶着面１７は、取付部材溶着面３３よりも小さく形成されているとともに、取付部材溶着面３３が外壁内面溶着面１７よりも横方向の外周側にスペースができるように形成されている。このため、取付部材溶着面３３を外壁内面溶着面１７に溶着したときに、溶着部分から押出されて予行方向にはみ出した溶融はみ出し部３７が取付部材溶着面３３側に生じて、外部からの低温衝撃が加わっても、燃料タンク１の外壁１０に損傷が生じることがない。
【００５１】
なお、図８に示すように、外壁内面突出部１８の外壁内面溶着面１７は、燃料タンクの外壁１０の他の部分よりも肉厚を薄く形成することができる。この場合には、外壁内面溶着面１７と取付部材溶着面３３の肉厚を同じにすることができ、外部からの衝撃が加わっても、燃料タンク１の外壁１０への応力の緩和を図ることができる。
【００５２】
次に、ブロー成形による本件発明の燃料タンク１の製造方法を、図１０〜図１２に基づき説明する。
まず、図１０に示すように、内蔵部品２０を支持棒４１に保持して、ブロー成形金型４０が開いた内部に位置させる。その後、パリソン８を下降させて、内蔵部品２０をパリソン８の内部に位置させる。
【００５３】
そして、図１１に示すように、第１ピンチ板４３をスライドさせて、パリソン８の下端を支持棒４１とともに挟持する。それとともに、ブロー成形金型４０に設けられた複数の押圧ピン４２をスライドさせて、パリソン８を内蔵部品２０に取付けられた取付部材３０と押圧ピン４２で挟むように押圧する。
【００５４】
そうすると、パリソン８の内面はまだ溶融状態にあるため、上述のように、取付部材３０の取付部材溶着面３３とパリソン８が融着することができる。このとき、内蔵部品２０は、支持棒４１により保持されているので、取付部材３０と内蔵部品２０は、燃料タンク１の外壁１０の所定の位置に確実に取付けられることができる。
また、取付部材３０の取付部材溶着面３３を予め加熱して溶融状態として、溶着強度を向上させることができる。
【００５５】
このとき、図７に示すように、押圧ピン４２を形成した場合には、押圧ピン４２の押圧ピン押圧面４２ａに押圧ピン押圧突部４２ｂが形成されているため、パリソン８が押圧され、燃料タンク１の外壁１０には、外壁内面突出部１８が形成される。外壁内面突出部１８の外壁内面溶着面１７に取付部材３０の取付部材溶着面３３が溶着する。
【００５６】
その後、図１２に示すように、支持棒４１を下降させてブロー成形金型４０から抜き、第２ピンチ板４４をスライドさせてパリソン８を閉じるとともに、ブロー成形金型４０を閉じて、スライドカッター４６でパリソン８を切断する。ブロー成形金型４０を閉じるときには、押圧ピン４２は、そのままパリソン８を押圧続ける。これにより、内蔵部品２０を所定位置に保持し続けることができる。
【００５７】
そして、エアノズル４５からパリソン８の内部に空気を吹き込み、パリソン８の外面をブロー成形金型４０に押圧して、燃料タンク１を形成する。このとき、押圧ピン４２の先端面とブロー成形金型４０のキャビティー内面とは同一平面になることができる。
その後、ブロー成形金型４０を開き、燃料タンク１を取出す。
【符号の説明】
【００５８】
１  燃料タンク
８  パリソン
１０  外壁
１７  外壁内面融着部
１８  外壁内面突出部
２０  内蔵部品
３０  取付部材
３２  当接部
３３  取付部材溶着面
４０  ブロー成形金型
【図１】
0006395253.tif 000002
【図２】
0006395253.tif 000003
【図３】
0006395253.tif 000004
【図４】
0006395253.tif 000005
【図５】
0006395253.tif 000006
【図６】
0006395253.tif 000007
【図７】
0006395253.tif 000008
【図８】
0006395253.tif 000009
【図９】
0006395253.tif 000010
【図１０】
0006395253.tif 000011
【図１１】
0006395253.tif 000012
【図１２】
0006395253.tif 000013
【図１３】
0006395253.tif 000014
【図１４】
0006395253.tif 000015
【図１５】
0006395253.tif 000016
【図１６】
0006395253.tif 000017